(57)【要約】【課題】センタコンソールの上部体に視覚的なフローティング感を付与するセンタコンソール構造の提供を目的とする。【解決手段】運転席シートと助手席シート８との間の車室フロア面５に立設され、シートのクッション面近傍まで上方に延びる柱部Ｘと、柱部Ｘの上部に配置され、前後方向に延在し、その上面部がセンタコンソール面Ｚをなして、シフト操作機構２５を収容する上部体Ｙとを有し、上部体Ｙは、柱部Ｘより前方に片持ち状に延長され、その前部に屈曲して斜め前上方に立ち上がる延長部３１を有し、延長部３１の着座乗員側の面部は、センタコンソール面Ｚと連続した外表面をなし、延長部３１の車両前方側の部位が、インストルメントパネル１４の後方突出部１４ｄに係止されたことを特徴とする。【選択図】図４
2019206280.tif 000002
【特許請求の範囲】
【請求項１】
運転席シートと助手席シートとの間に配置され、シフト操作機構をその上部に備えるセンタコンソール構造であって、
上記運転席シートと上記助手席シートとの間の車室フロア面に立設され、上記シートのクッション面近傍まで上方に延びる柱部と、
当該柱部の上部に配置され、前後方向に延在し、その上面部がセンタコンソール面をなして、上記シフト操作機構を収容する上部体とを有し、
当該上部体は、上記柱部より前方に片持ち状に延長され、その前部に屈曲して斜め前上方に立ち上がる延長部を有し、
当該延長部の着座乗員側の面部は、上記センタコンソール面と連続した外表面をなし、
上記延長部の車両前方側の部位が、インストルメントパネルの後方突出部に係止されたことを特徴とする
センタコンソール構造。
【請求項２】
上記延長部に、車両関連情報を表示するディスプレイ装置を収容し、着座乗員側面部にディスプレイ面が配置されたことを特徴とする
請求項１に記載のセンタコンソール構造。
【請求項３】
上記延長部の車両前方側部位に第１係合部が設けられ、
上記インストルメントパネルの後方突出部に上記第１係合部に係合する第２係合部が設けられ、
上記延長部の上方前縁部と上記インストルメントパネルの後方突出部との間に、上記第１および第２係合部に上方からアクセスする空隙が設けられたことを特徴とする
請求項１または２に記載のセンタコンソール構造。
【発明の詳細な説明】
【技術分野】
【０００１】
この発明は、運転席シートと助手席シートとの間に配置され、シフト操作機構をその上部に備えるセンタコンソール構造に関する。
【背景技術】
【０００２】
一般に、センタコンソールの上面には変速操作機構が設けられ、この変速操作機構はリンク部材等を介して変速機に連結されている。
【０００３】
近年、上述の変速操作機構（シフト操作機構）やパーキングブレーキが電子化されており、このように変速操作機構やパーキングブレーキが電子化されると、従来のリンク部材等による機械的な連結構造に代えて、電気信号により変速操作およびブレーキングが実行されるので、上述のリンク部材が不要となる。
【０００４】
このため、従来において上述のリンク部材を配置していたセンタコンソールの下方空間を、物入れやデザイン要素として活用できるようになってきた。
【０００５】
ところで、特許文献１には、車室内に設けられるインストルメントパネルの後方で、かつ、センタコンソールの上方の位置に、空間部を有して操作パネルを配設し、当該操作パネルの立上がり面にディスプレイ装置を配置したものが開示されている。
【０００６】
また、特許文献２には、床面に沿って車両前後方向に延びるコンソール部材の後部に後方側コンソール部材を設け、この後方側コンソール部材の上部にアームレスト部材を配設すると共に、インストルメントパネルとアームレスト部材の直前部とをブリッジ状のシフトパネルで連結し、該シフトパネルにシフト操作部のシフトノブを配置したものが開示されている。
【０００７】
しかしながら、上記各特許文献１，２には、センタコンソールの上部体に視覚的なフローティング感を付与する点については、開示されていない。
【先行技術文献】
【特許文献】
【０００８】
【特許文献１】特開２０１３−２３７２８６号公報
【特許文献１】特開２０１０−０７６６０７号公報
【発明の概要】
【発明が解決しようとする課題】
【０００９】
そこで、この発明は、センタコンソールの上部体に視覚的なフローティング感を付与することができるセンタコンソール構造の提供を目的とする。
【課題を解決するための手段】
【００１０】
この発明によるセンタコンソール構造は、運転席シートと助手席シートとの間に配置され、シフト操作機構をその上部に備えるセンタコンソール構造であって、上記運転席シートと上記助手席シートとの間の車室フロア面に立設され、上記シートのクッション面近傍まで上方に延びる柱部と、当該柱部の上部に配置され、前後方向に延在し、その上面部がセンタコンソール面をなして、上記シフト操作機構を収容する上部体とを有し、当該上部体は、上記柱部より前方に片持ち状に延長され、その前部に屈曲して斜め前上方に立ち上がる延長部を有し、当該延長部の着座乗員側の面部は、上記センタコンソール面と連続した外表面をなし、上記延長部の車両前方側の部位が、インストルメントパネルの後方突出部に係止されたものである。
【００１１】
上記構成によれば、センタコンソールの上部体における延長部をインストルメントパネルの後方突出部に近接させて終端させることで、乗員に上部体のフローティング視覚を与えることができ、一方で、延長部の車両前方側の部位をインストルメントパネルの後方突出部に係止させることで、上記上部体が片持ち状であっても、その支持強度を確保することができる。
【００１２】
この発明の一実施態様においては、上記延長部に、車両関連情報を表示するディスプレイ装置を収容し、着座乗員側面部にディスプレイ面が配置されたものである。  
上記構成によれば、本来インストルメントパネル側に設けられるディスプレイ装置を、センタコンソール側において斜め前上方に立ち上がる延長部に設けることで、ディスプレイ装置が乗員の近くに配置できると共に、ディスプレイ面の視認性が向上し、かつ、インストルメントパネルのシンプル化を図ることができる。
【００１３】
この発明の一実施態様においては、上記延長部の車両前方側部位に第１係合部が設けられ、上記インストルメントパネルの後方突出部に上記第１係合部に係合する第２係合部が設けられ、上記延長部の上方前縁部と上記インストルメントパネルの後方突出部との間に、上記第１および第２係合部に上方からアクセスする空隙が設けられたものである。
【００１４】
上記構成によれば、インストルメントパネル側の第２係合部に対して、延長部側の第１係合部を確実に係合することができると共に、上記空隙からのアクセスにより両係合部の係合作業が行えるので、その作業性の向上を図ることができる。また、上記空隙により、着座乗員からは、上部体の前端部（延長部の前端側）がインストルメントパネル後方突出部で浮いているように視認でき、フローティング視覚の向上を図ることができる。
【発明の効果】
【００１５】
この発明によれば、センタコンソールの上部体に視覚的なフローティング感を付与することができる効果がある。
【図面の簡単な説明】
【００１６】
【図１】本発明のセンタコンソール構造を示す平面図
【図２】センタコンソール構造を車両左側斜め上方から見た状態で示す斜視図
【図３】センタコンソール構造を車両右側斜め上方から見た状態で示す斜視図
【図４】センタコンソール構造の車両左側の側面図
【図５】センタコンソール構造の車両右側の側面図
【図６】センタコンソールの側面図
【図７】内部フレームの斜視図
【図８】図４の要部拡大側面図
【図９】図５の要部拡大側面図
【図１０】図１のＡ−Ａ線に沿う要部の矢視断面図
【図１１】図４のＢ−Ｂ線に沿う要部の矢視断面図
【図１２】（ａ）は図６のＣ−Ｃ線に沿う底部の断面図、（ｂ）は図６のＤ−Ｄ線に沿う要部の矢視断面図
【発明を実施するための形態】
【００１７】
センタコンソールの上部体に視覚的なフローティング感を付与するという目的を、運転席シートと助手席シートとの間に配置され、シフト操作機構をその上部に備えるセンタコンソール構造であって、上記運転席シートと上記助手席シートとの間の車室フロア面に立設され、上記シートのクッション面近傍まで上方に延びる柱部と、当該柱部の上部に配置され、前後方向に延在し、その上面部がセンタコンソール面をなして、上記シフト操作機構を収容する上部体とを有し、当該上部体は、上記柱部より前方に片持ち状に延長され、その前部に屈曲して斜め前上方に立ち上がる延長部を有し、当該延長部の着座乗員側の面部は、上記センタコンソール面と連続した外表面をなし、上記延長部の車両前方側の部位が、インストルメントパネルの後方突出部に係止されるという構成にて実現した。
【００１８】
（実施例）
この発明の一実施例を以下図面に基づいて詳述する。  
図面はセンタコンソール構造を示し、図１は当該センタコンソール構造を示す平面図、図２はセンタコンソール構造を車両左側斜め上方から見た状態で示す斜視図、図３はセンタコンソール構造を車両右側斜め上方から見た状態で示す斜視図、図４は当該センタコンソール構造の車両左側の側面図、図５はセンタコンソール構造の車両右側の側面図である。なお、以下の実施例においては、センタコンソール構造を、左ハンドル車両に適用した実施例について説明する。
【００１９】
図４、図５において、内燃機関搭載車両のエンジンルーム、または、電気自動車のモータルームと、車室とを車両の前後方向に仕切るダッシュロアパネル１（ダッシュパネル）を設けている。
【００２０】
このダッシュロアパネル１は、上下方向に延びる縦壁部１ａと、該縦壁部１ａの下端から下方かつ後方に延びるスラント部１ｂと、を備えており、当該スラント部１ｂには車室の床面を形成するフロアパネル２を一体的に連設している。また、上述の縦壁部１ａの下部前面には、車幅方向に延びるダッシュクロスメンバ３を接合固定し、縦壁部１ａとダッシュクロスメンバ３との間には、車幅方向に延びるダッシュクロス閉断面４を形成している。
【００２１】
上述のフロアパネル２の車幅方向中央部には、車室内方へ突出して車両の前後方向に延びるトンネル部５を、フロアパネル２と一体または一体的に形成している。この実施例では、当該トンネル部５はダッシュロアパネル１と後方のキックアップ部６との間にわたって車両の前後方向に延びるよう形成されている。
【００２２】
図１に示すように、上述のフロアパネル２の左右にはフロントシートとしての運転席シート７と助手席シート８とを設けている。  
運転席シート７は乗員の着座面を形成するシートクッション７Ｃと、乗員の背もたれ面を形成するシートバック７Ｂと、乗員の頭部を保持するヘッドレスト７Ｈとを備えている。
【００２３】
同様に、助手席シート８も乗員の着座面を形成するシートクッション８Ｃと、乗員の背もたれ面を形成するシートバック８Ｂと、乗員の頭部を保持するヘッドレスト８Ｈとを備えている。  
図４、図５に示すように、上述の助手席シート８は、ロアレール９とアッパレール１０とから成るシートスライドレール１１およびシートフレーム１２を介して設けられたもので、助手席乗員の体格に応じて車両の前後方向に位置調整可能に構成されている。
【００２４】
助手席シート８と同様に、運転席シート７も、ロアレールとアッパレールとから成るシートスライドレールおよびシートフレームを介して設けられており、運転席乗員の体格に応じて車両の前後方向に位置調整可能に構成されている。
【００２５】
図４、図５において、１３はフロントウインドガラス、１４はインストルメントパネルである。  
同図に示すように、該インストルメントパネル１４は、車両の略前後方向に延びる上面部１４ａと、この上面部１４ａの後端から下方かつ前方に延びる後面部１４ｂと、この後面部１４ｂの下端から車両前方に延びる下面部１４ｃと、を有しており、当該インストルメントパネル１４の運転席シート７側には、ステアリングコラムカバー１５が設けられている。
【００２６】
図１〜図５に示すように、上述のインストルメントパネル１４の内部には、車幅方向に延びて左右のヒンジピラー（車体剛性部材）間を連結する強度部材としてのインパネメンバ１６が設けられており、このインパネメンバ１６は、図１に示すように、助手席シート８側のメンバに対して運転席シート７側のメンバが大径に形成されており、オフセット衝突から乗員を保護すべく構成している。また、図１に示すように、上述のインパネメンバ１６とトンネル部５との間には支持ステー１７が張架されており、この単一の支持ステー１７でインパネメンバ１６を支持するように構成している。
【００２７】
図４に示すように、フロントウインドガラス１３の傾斜下部と対向するインストルメントパネル１４には、デフロスタダクト１８と連通するデフロスタ吹出口１９が開口形成されており、フロントウインドガラス１３の曇り止めを図るよう構成している。  
図２、図４に示すように、乗員の顔部と対向するインストルメントパネル１４には、ベントダクト２０と連通するセンタベント吹出口２１およびサイドベント吹出口２２が開口形成されている。
【００２８】
図４に示すように、運転席シート７および助手席シート８に着座した乗員の足元スペースと対向するインストルメントパネル１４には、フット用ダクト（いわゆるヒートダクト）２３と連通する足元吹出口２４が開口形成されている。
【００２９】
図６はセンタコンソールの側面図、図７は内部フレームの斜視図、図８は図４の要部拡大側面図、図９は図５の要部拡大側面図、図１０は図１のＡ−Ａ線に沿う要部の矢視断面図、図１１は図４のＢ−Ｂ線に沿う要部の矢視断面図、図１２の（ａ）は図６のＣ−Ｃ線に沿う底部（底部コンソール）の断面図、図１２の（ｂ）は図６のＤ−Ｄ線に沿う要部の矢視断面図である。
【００３０】
図１、図６に示すように、運転席シート７と助手席シート８との間の床面（車室フロア面）としてのトンネル部５上面に立設され、シフト操作機構２５をその上部に備えると共に、インストルメントパネル１４の直下部から左右のシート７，８のシートクッション７Ｃ，８Ｃ側方部まで前後方向に延びるセンタコンソール体３０を設けている。
【００３１】
このセンタコンソール体３０は、シフト操作機構２５を支持する金属製の内部フレーム４０（図７参照）と、該内部フレーム４０の周囲を囲って化粧面をなす樹脂製の外装体５０と、後述する基部部材（図７の基部ブラケット４１参照）の前方に位置してインストルメントパネル１４直下に至るまで車両前後に延在する底部としての底部コンソール６０とを備えている（図６参照）。
【００３２】
図７に示すように、金属製の内部フレーム４０は、車幅方向の断面がハット形状の基部部材としての基部ブラケット４１と、金属板を角筒形状に折曲げ形成して、溶接部４２にて必要箇所を溶接固定した下部ブラケット４３と、この下部ブラケット４３の上部に固定した中間ブラケット４４と、この中間ブラケット４４の上部に固定され、車幅方向の断面が略凹状の上部ブラケット４５と、を備えており、基部ブラケット４１よりも上側の各要素、すなわち、下部ブラケット４３、中間ブラケット４４、上部ブラケット４５で上部部材４６を形成している。  
そして、図６、図７に示すように、内部フレーム４０はその前側部にて、床面側の基部ブラケット４１よりも上部部材４６（特に、上部ブラケット４５）が前方斜め上方に位置するよう傾斜している。
【００３３】
ここで、上述の基部ブラケット４１は、図１１に示すように、複数のマウントラバー４７と、複数のボルト、ナット等の取付け部材４８とを用いて、トンネル部５の上面にマウント支持されている。また、同図に示すように、上部ブラケット４５と中間ブラケット４４とは、複数のボルト、ナット等の取付け部材４９を用いて固定されている。
【００３４】
図６、図１１に示すように、上述の樹脂製の外装体５０は左右の側壁部５１，５１と、当該左右の側壁部５１の下部を前方に延長してなる略逆向きＵ字状の左右の塀部５１ａ，５１ａ（図１２の（ｂ）参照）と、これら左右の塀部５１ａ，５１ａの内側端部を車幅方向に連結する前下部５１ｂと、を備えている。
【００３５】
一方、底部コンソール６０は、図１２の（ａ）にその断面形状を示すように、底壁６１と、この底壁６１の左右端部から上方に立上がる内側壁６２と、該内側壁６２の上端から車幅方向外側に延びる上壁６３と、この上壁６３の車幅方向外端部から下方に延びる外側壁６４と、を合成樹脂にて一体形成したもので、上記各壁６２，６３，６４の形状は、図１２の（ｂ）で示す外装体５０における左右の塀部５１ａ，５１ａの形状と対応するものである。  
そして、図６に示すように、底部コンソール６０の左右両側が外装体５０の左右の塀部５１ａで囲われ、かつ後部が外装体５０の前下部５１ｂで囲われている。
【００３６】
さらに、図６に示すように、上述の左右の塀部５１ａの上方の左右両側、並びに、底部コンソール６０の上壁６３の上方の左右両側が、運転席シート７および助手席シート８の足元空間に開放し、かつ連通する物置部７０に形成されている。
【００３７】
ところで、この実施例のセンタコンソール構造は、運転席シート７と助手席シート８との間の車室フロア面であるトンネル部５に立設され、各シート７，８のシートクッション７Ｃ，８Ｃ上面近傍まで上方に延びる柱部Ｘと、当該柱部Ｘの上部に配置され、前後方向に延在し、その上面部がセンタコンソール面Ｚをなして、シフト操作機構２５を収容する上部体Ｙとを有している（図６参照）。
【００３８】
上述の柱部Ｘは、図１１で示した基部ブラケット４１、下部ブラケット４３、外装体５０の下域部分である側壁部５１を含むものである。  
また、上述の上部体Ｙは、図１１で示した中間ブラケット４４、上部ブラケット４５、後述する外装体５０の上域部分を含むものである。
【００３９】
図６、図８〜図１０に示すように、上述の上部体Ｙは、上記柱部Ｘよりも前方に片持ち状に延長され、その前部に屈曲して斜め前上方に立ち上がる延長部３１を有している。  
この実施例では、上述の延長部３１はセンタコンソール面Ｚの車両前方への仮想延長線に対して、約６０度の角度で立ち上がるように形成されているが、この数値に限定されるものではない。
【００４０】
図１１に示すように、上述の上部体Ｙは、センタコンソール面Ｚを形成する上面パネル５２と、この上面パネル５２の左右両側に位置する側面パネル５３と、を備えている。これらの各パネル５２，５３は化粧面をなす樹脂製の外装体であり、これら各パネル５２，５３は外装体５０の一部を構成するものである。
【００４１】
上述の上面パネル５２は車両前後方向に延びてセンタコンソール面Ｚを形成すると共に、その前端から延長部３１の着座乗員側の面部を形成すべく屈曲して斜め前上方に立ち上がったスラント面５２ａを一体形成しており、これにより、上記延長部３１の着座乗員側の面部が、センタコンソール面Ｚと連続した外表面をなしている。
【００４２】
また、上述の側面パネル５３は車両前後方向に延びてセンタコンソール面Ｚの側壁を形成すると共に、その前端から延長部３１の側部を形成すべく屈曲して斜め前上方に立ち上がった立上り面５３ａを一体形成している。
【００４３】
さらに、図１０に示すように、上述の上面パネル５２はスラント面５２ａの上端から延長部３１の前面を形成すべく下方かつ後方に向けて折返された折返し面５２ｂを一体形成している。加えて、上述の側面パネル５３は上部体Ｙの前壁を形成すべく、左右一対の側面パネル５３前端を車幅方向に連結する前面部５３ｂを一体形成している。  
図１１に示すように、上述の側面パネル５３の左右両側には当該側面パネル５３の立上り面５３ａを含むように装飾用のアロング（ａｌｏｎｇ）パネル５４が沿設されている。  
また、これら左右の各アロングパネル５４の車幅方向外側には中間パネル５５を介して側壁部５１上端の段差部５１ｃを配置している。この段差部５１ｃは、側壁部５１に対して車幅方向内側に段差を有するよう形成されている。
【００４４】
そして、この段差部５１ｃの車幅方向外側の面には、車両側面視で略平行四辺形状のオーナメント（ｏｒｎａｍｅｎｔ）パネル５６を取付けている。また、図１１に示すように、上述の中間パネル５５の上端部には前後方向に延びるスペーサ５７が配置されている。このスペーサ５７は断面門形状に形成されている。
【００４５】
一方、図６、図１０に示すように、上述の物置部７０の後部直上位置には、シフト操作機構２５のシフトノブ２５ａが配置されている。  
図１０に示すように、シフト操作機構２５は、シフトノブ２５ａと、シフトロッド２５ｂと、ピボット部２５ｃとを備えており、ピボット部２５ｃとシフトロッド２５ｂとは上部体Ｙの内部空間に収納されており、シフトノブ２５ａはセンタコンソール面Ｚの上方位置に変速操作可能に配設されている。また、シフトロッド２５ｂは上部ブラケット４５に支持されたシフトガイド２６，２７で案内されている。
【００４６】
図２、図３、図１０に示すように、上述のシフトノブ２５ａの後方部におけるセンタコンソール面Ｚには、コマンダ２８（ｃｏｍｍａｎｄｅｒ）のツマミ部２９と、車載オーディオ装置等の音量調節装置８０（いわゆるボリューム）のツマミ部８１と、パーキングブレーキ操作部８２とが配設されている。
【００４７】
上述のコマンダ２８は、そのツマミ部２９の回動操作により、アプリケーション部、インターネット部、コミュニケーション部、ナビゲーション部、セッティング部を選択し、その押込み操作により選択肢の決定を行なう装置である。
【００４８】
ここで、上述の各部の選択肢は、アプリケーション部においては、燃費情報、各種のメンテナンス情報などであり、インターネット部においては、インターネットラジオ、ポータブルオーディオの他に、ＡＭ／ＦＭラジオ、ＣＤ／ＤＶＤプレーヤなどであり、コミュニケーション部においては、ハンズフリー通話、ショートメッセージの読上げなどであり、ナビゲーション部においては、道路地図表示、ルート案内、ルート誘導などであり、セッティング部においては、サウンドのセッティング、アクティブ・ドライビング・ディスプレイの明るさや角度調整などである。
【００４９】
ところで、図１０に示すように、上記延長部３１の車両前方側の部位は、インストルメントパネル１４の後方突出部１４ｄに係止されている。  
詳しくは、同図に示すように、延長部３１の車両前方側部位としての上面パネル５２の折返し面５２ｂに第１係合部であるアッパブラケット３２が設けられ、インストルメントパネル１４の後方突出部１４ｄに、アッパブラケット３２に係合する第２係合部としてのロアブラケット３３が設けられ、当該ロアブラケット３３の下面には予めナット３４が接合されると共に、延長部３１の上方前縁部とインストルメントパネル１４の後方突出部１４ｄとの間に、各ブラケット３２，３３に上方からアクセスする空隙Ｇが設けられている。
【００５０】
そして、インストルメントパネル１４側のロアブラケット３３に対して、延長部３１側のアッパブラケット３２が上載されるよう、インストルメントパネル１４の後方突出部１４ｄに延長部３１を近接配置した後に、上述の空隙Ｇからボルト３５を下方へ移動させ、当該ボルト３５を上述のナット３４に締付けることで、延長部３１の車両前方側の部位を、各ブラケット３２，３３を介して、インストルメントパネル１４の後方突出部１４ｄに係止すべく構成したものである。
【００５１】
ここで、上述の各ブラケット３２，３３の上下方向の位置は、延長部３１の上端から所定距離下方に位置した不可視部に設定されており、着座乗員からボルト３５の頭部が目視不可となるよう構成されている。  
さらに、図１０に示すように、延長部３１には、車両関連情報を表示するディスプレイ装置の一例として、エアコン用のディスプレイ装置３６が収容されており、当該ディスプレイ装置３６のディスプレイ面３７が着座乗員側の面部（スラント面５２ａ参照）に配置されている。
【００５２】
この実施例では、上述のディスプレイ面３７を含むディスプレイ装置３６を、タッチパネル式の表示装置にて構成すると共に、シフトノブ２５ａを図１０に示す最も前側の位置（パーキング位置）にシフト操作した時においても、着座乗員からディスプレイ面３７の全体が目視できるように構成している。
【００５３】
図８、図９に示すように、センタコンソール面Ｚを含む上部体Ｙと，床面としてのトンネル部５との間であって、上部が上部体Ｙで仕切られ、下部が床面としての底壁６１（図１２の（ａ）参照）および前下部５１ｂ（図１２の（ｂ）参照）で仕切られ、後方が上述の柱部Ｘにより仕切られ、かつ、左右両側方がシートクッション７Ｃ，８Ｃの上面よりも低い高さの癖部としての側壁６２，６４により仕切られた物置空間７１が形成されている。
【００５４】
図１０に示すように、上述の上部体Ｙは柱部Ｘよりも前方へインストルメントパネル１４の後方突出部１４ｄに近接するまで突出しており、この上部体Ｙの車幅方向中央の下面側には、シフト操作機構２５の下部であるシフトロッド２５ｂとピボット部２５ｃとを収容した膨出部３８が形成されており、図８、図９に示すように、車両側面視で上述の物置空間７１への左右からの出し入れ口の後縁を成す柱部Ｘの前縁Ｘａに対して、上述の膨出部３８の前縁３８ａが車両前方に位置するよう構成している。
【００５５】
図８、図９において、底部コンソール６０の側壁６２，６４には斜め前上方に延びる左右の壁部としてのスラント壁６５，６６が一体形成されている。  
車両左側においては、図８に示すようにスラント壁６５の後端部が物置空間７１の前縁６５ａとなり、車両右側においては、図９に示すようにスラント壁６６の後端部が物置空間７１の前縁６６ａとなる。
【００５６】
そこで、この実施例では、柱部Ｘの前縁Ｘａと、膨出部３８の前縁３８ａと、物置空間７１の左右の壁部の前縁６５ａ，６６ａとが、同一傾斜角度の前上がり傾斜形状に形成されている。なお、図８において、６７はニーパッド部材である。  
さらに、図８、図９に示すように、柱部Ｘの下部前側と底部コンソール６０の壁部（すなわち、内側壁６２、上壁６３、外側壁６４）とは外装体で左右外表面が面一になるよう形成されている。
【００５７】
詳しくは、上述の内側壁６２、上壁６３、外側壁６４は外装体であって、図１２に示すように、柱部Ｘの前下部５１ｂと底部コンソール６０の底壁６１とが面一となり、柱部Ｘの塀部５１ａと底部コンソール６０の各壁６２，６３，６４とが面一になるよう形成されている。  
ここで、上述の塀部５１ａ、前下部５１ｂは外装体５０を構成する側壁部５１に一体形成されたものである。
【００５８】
また、図８、図９に示すように壁部（各要素６１，６２，６３，６４，５１ａ，５１ｂ参照）において外装体を前後に分割するパーティングラインＰＬが設けられている。  
この実施例では、図８、図９に示すように、底部コンソール６０の後端部に、上述の塀部５１ａ、前下部５１ｂの肉厚に相当する段下げ部６８を一体形成し、この段下げ部６８に対して、上述の塀部５１ａ、前下部５１ｂを配置することで、外装体の面一構造を確保している。
【００５９】
また、図１２の（ｂ）に示すように、柱部Ｘ側における側壁部５１の塀部５１ａの外側部には、内方に向けて突出する複数のクリップ５１ｄを一体形成し、これらの各クリップ５１ｄを用いて、塀部５１ａの外側部を、図１２に示す底部コンソール６０側の外側壁６４に係止させている。
【００６０】
一方、図６に示すように、上述の柱部Ｘの後方には、第２の物置空間としての前側カップホルダ７２を設け、この前側カップホルダ７２のさらに後方には、第３の物置空間としての後側カップホルダ７３を設け、当該後側カップホルダ７３の上部にはカップホルダ７３の開閉蓋を兼ねるアームレスト部７４を設けている。
【００６１】
なお、図９において、９０は物置部７０に出し入れ可能に載置した荷物の一例としてのバッグを示す。また、図中、矢印Ｆは車両前方を示し、矢印Ｒは車両後方を示し、矢印ＬＥＦＴは車幅方向の左方を示し、矢印ＲＩＧＨＴは車幅方向の右方を示し、矢印ＵＰは車両上方を示す。
【００６２】
このように、上記実施例のセンタコンソール構造は、運転席シート７と助手席シート８との間に配置され、シフト操作機構２５をその上部に備えるセンタコンソール構造であって、上記運転席シート７と上記助手席シート８との間の車室フロア面（トンネル部５参照）に立設され、上記シート７，８のクッション面（シートクッション７Ｃ，８Ｃの上面参照）近傍まで上方に延びる柱部Ｘと、当該柱部Ｘの上部に配置され、前後方向に延在し、その上面部がセンタコンソール面Ｚをなして、上記シフト操作機構２５を収容する上部体Ｙとを有し、当該上部体Ｙは、上記柱部Ｘより前方に片持ち状に延長され、その前部に屈曲して斜め前上方に立ち上がる延長部３１を有し、当該延長部３１の着座乗員側の面部は、上記センタコンソール面Ｚと連続した外表面をなし、上記延長部３１の車両前方側の部位が、インストルメントパネル１４の後方突出部１４ｄに係止されたものである（図１、図４、図５、図１０参照）。
【００６３】
この構成によれば、センタコンソールの上部体Ｙにおける延長部３１をインストルメントパネル１４の後方突出部１４ｄに近接させて終端させることで、乗員に上部体Ｙのフローティング視覚を与えることができ、一方で、延長部３１の車両前方側の部位をインストルメントパネル１４の後方突出部１４ｄに係止させることで、上記上部体Ｙが片持ち状であっても、その支持強度を確保することができる。
【００６４】
また、この発明の一実施形態においては、上記延長部３１に、車両関連情報を表示するディスプレイ装置３６を収容し、着座乗員側の面部にディスプレイ面３７が配置されたものである（図１０参照）。  
この構成によれば、本来インストルメントパネル１４側に設けられるディスプレイ装置を、センタコンソール側において斜め前上方に立ち上がる延長部３１に設けることで、ディスプレイ装置３６が乗員の近くに配置できると共に、ディスプレイ面３７の視認性が向上し、かつ、インストルメントパネル１４のシンプル化を図ることができ、加えて、ディスプレイ装置３６にタッチパネル式のものを用いる場合にも有効となる。
【００６５】
さらに、この発明の一実施形態においては、上記延長部３１の車両前方側部位に第１係合部（アッパブラケット３２参照）が設けられ、上記インストルメントパネル１４の後方突出部１４ｄに上記第１係合部（アッパブラケット３２）に係合する第２係合部（ロアブラケット３３参照）が設けられ、上記延長部３１の上方前縁部と上記インストルメントパネル１４の後方突出部１４ｄとの間に、上記第１および第２係合部（各ブラケット３２，３３参照）に上方からアクセスする空隙Ｇが設けられたものである（図１０参照）。
【００６６】
この構成によれば、インストルメントパネル１４側の第２係合部（ロアブラケット３３）に対して、延長部３１側の第１係合部（アッパブラケット３２）を確実に係合することができると共に、上記空隙Ｇからのアクセスにより両係合部（各ブラケット３２，３３参照）の係合作業が行えるので、その作業性の向上を図ることができる。
【００６７】
また、上述の空隙Ｇにより、着座乗員からは、上部体Ｙの前端部（延長部３１の前端部参照）がインストルメントパネル１４の後方突出部１４ｄで浮いているように視認でき、フローティング視覚のさらなる向上を図ることができる。
【００６８】
この発明の構成と、上述の実施例との対応において、  
この発明の車室フロア面は、実施例のトンネル部５に対応し、以下同様に、  
第１係合部は、アッパブラケット３２に対応し、  
第２係合部は、ロアブラケット３３に対応するも、  
この発明は、上述の実施例の構成のみに限定されるものではない。
【００６９】
例えば、上記実施例においては、センタコンソール構造としての左ハンドル車両に適用した場合について説明したが、本発明のセンタコンソール構造は右ハンドル車両に適用することもできる。
【産業上の利用可能性】
【００７０】
以上説明したように、本発明は、運転席シートと助手席シートとの間に配置され、シフト操作機構をその上部に備えるセンタコンソール構造について有用である。
【符号の説明】
【００７１】
５…トンネル部（車室フロア面）
７…運転席シート
８…助手席シート
１４…インストルメントパネル
１４ｄ…後方突出部
２５…シフト操作機構
３１…延長部
３２…アッパブラケット（第１係合部）
３３…ロアブラケット（第２係合部）
３６…ディスプレイ装置
３７…ディスプレイ面
Ｇ…空隙
Ｘ…柱部
Ｙ…上部体
Ｚ…センタコンソール面
【図１】
2019206280.tif 000003
【図２】
2019206280.tif 000004
【図３】
2019206280.tif 000005
【図４】
2019206280.tif 000006
【図５】
2019206280.tif 000007
【図６】
2019206280.tif 000008
【図７】
2019206280.tif 000009
【図８】
2019206280.tif 000010
【図９】
2019206280.tif 000011
【図１０】
2019206280.tif 000012
【図１１】
2019206280.tif 000013
【図１２】
2019206280.tif 000014